(57)【特許請求の範囲】
【請求項１】
マルチタッチスクリーンを有するマルチタッチスクリーン付き携帯端末であって、
前記マルチタッチスクリーンにおいてジェスチャーを行おうとするユーザの手が前記マルチタッチスクリーンに触れたことを契機に、前記ジェスチャーに使用されるジェスチャー領域およびユーザの手に覆われる手形状領域を含む表示禁止領域を除く領域に対し前記ユーザの支援者に見せるための支援者用情報を表示し、
予め前記ユーザの利き手を示す利き手情報が記憶され、
前記利き手情報を読み出し、前記利き手情報に対応する利き手が右手なら、予め定められた右手の形状を有する手形状領域を前記表示禁止領域に含める一方、前記利き手情報に対応する利き手が左手なら、予め定められた左手の形状を有する手形状領域を前記表示禁止領域に含める
ことを特徴とするマルチタッチスクリーン付き携帯端末。
【請求項２】
前記ユーザの手の移動に追従するように前記表示禁止領域を設定する
ことを特徴とする請求項１記載のマルチタッチスクリーン付き携帯端末。
【請求項３】
マルチタッチスクリーンを有するマルチタッチスクリーン付き携帯端末の動作方法であって、
前記マルチタッチスクリーン付き携帯端末が、前記マルチタッチスクリーンにおいてジェスチャーを行おうとするユーザの手が前記マルチタッチスクリーンに触れたことを契機に、前記ジェスチャーに使用されるジェスチャー領域およびユーザの手に覆われる手形状領域を含む表示禁止領域を除く領域に対し前記ユーザの支援者に見せるための支援者用情報を表示し、
予め前記ユーザの利き手を示す利き手情報が記憶され、
前記利き手情報を読み出し、前記利き手情報に対応する利き手が右手なら、予め定められた右手の形状を有する手形状領域を前記表示禁止領域に含める一方、前記利き手情報に対応する利き手が左手なら、予め定められた左手の形状を有する手形状領域を前記表示禁止領域に含める
ことを特徴とするマルチタッチスクリーン付き携帯端末の動作方法。
【請求項４】
請求項１または２記載のマルチタッチスクリーン付き携帯端末としてコンピュータを機能させるためのコンピュータプログラム。
【発明の詳細な説明】
【技術分野】
【０００１】
本発明は、マルチタッチスクリーン付き携帯端末およびその動作方法に関するものである。
【背景技術】
【０００２】
近年では、スマートフォンのようなマルチタッチスクリーンを備えた携帯端末が開発されている。携帯端末は、例えば、マルチタッチスクリーン上のタッチによるジェスチャーによる操作が可能である。このような携帯端末は、例えば、ユーザが行った操作を音声で出力でき、視覚障がい者は、この音声で操作方法を習得する（非特許文献１、特許文献１参照）。
【０００３】
しかし、音声による操作方法習得は難しいので、支援者のアドバイスが望まれる。例えば、実行すべきジェスチャーなどを示す支援者用情報をマルチタッチスクリーンに表示すれば、これによりアドバイスができる。
【０００４】
しかし、マルチタッチスクリーンの一部領域は視覚障がい者の手で覆われるので、この領域に表示しても支援者には見えない。
【先行技術文献】
【特許文献】
【０００５】
【特許文献１】特許第５４２７９４０号公報
【非特許文献】
【０００６】
【非特許文献１】青木良輔、橋本遼、瀬古俊一、片岡泰之、井原雅行、渡辺昌洋、小林透「Drag&Flick:タッチスクリーンを用いた視覚障がい者向け文字入力方式」、情報処理学会イントロダクション、2013/3/1
【発明の概要】
【発明が解決しようとする課題】
【０００７】
本発明は、上記の課題に鑑みてなされたものであり、その目的とするところは、マルチタッチスクリーン付き携帯端末においてマルチタッチスクリーンでのジェスチャーに使用されるジェスチャー領域以外の空き領域であり且つユーザの手に覆われない領域に支援者用情報を表示する技術を提供することにある。
【課題を解決するための手段】
【０００８】
上記の課題を解決するために、本発明のマルチタッチスクリーン付き携帯端末は、マルチタッチスクリーンを有するマルチタッチスクリーン付き携帯端末であって、前記マルチタッチスクリーンにおいてジェスチャーを行おうとするユーザの手が前記マルチタッチスクリーンに触れたことを契機に、前記ジェスチャーに使用されるジェスチャー領域およびユーザの手に覆われる手形状領域を含む表示禁止領域を除く領域に対し前記ユーザの支援者に見せるための支援者用情報を表示し、予め前記ユーザの利き手を示す利き手情報が記憶され、前記利き手情報を読み出し、前記利き手情報に対応する利き手が右手なら、予め定められた右手の形状を有する手形状領域を前記表示禁止領域に含める一方、前記利き手情報に対応する利き手が左手なら、予め定められた左手の形状を有する手形状領域を前記表示禁止領域に含めることを特徴とする。
【０００９】
本発明のマルチタッチスクリーン付き携帯端末の動作方法は、マルチタッチスクリーンを有するマルチタッチスクリーン付き携帯端末の動作方法であって、前記マルチタッチスクリーン付き携帯端末が、前記マルチタッチスクリーンにおいてジェスチャーを行おうとするユーザの手が前記マルチタッチスクリーンに触れたことを契機に、前記ジェスチャーに使用されるジェスチャー領域およびユーザの手に覆われる手形状領域を含む表示禁止領域を除く領域に対し前記ユーザの支援者に見せるための支援者用情報を表示し、予め前記ユーザの利き手を示す利き手情報が記憶され、前記利き手情報を読み出し、前記利き手情報に対応する利き手が右手なら、予め定められた右手の形状を有する手形状領域を前記表示禁止領域に含める一方、前記利き手情報に対応する利き手が左手なら、予め定められた左手の形状を有する手形状領域を前記表示禁止領域に含めることを特徴とする。
【発明の効果】
【００１０】
本発明によれば、マルチタッチスクリーン付き携帯端末においてマルチタッチスクリーンでのジェスチャーに使用されるジェスチャー領域以外の空き領域であり且つユーザの手に覆われない領域に支援者用情報を表示することができる。
【図面の簡単な説明】
【００１１】
【図１】本実施の形態に係るマルチタッチスクリーン付き携帯端末を示す図である。
【図２】マルチタッチスクリーン２に支援者用情報を表示する処理のフローチャートである。
【図３】支援者用情報の表示例を示す図である。
【図４】ユーザの手が移動した場合の支援者用情報の表示例を示す図である。
【発明を実施するための形態】
【００１２】
以下、本発明の実施の形態について図面を参照して説明する。
【００１３】
図１は、本実施の形態に係るマルチタッチスクリーン付き携帯端末を示す図である。
【００１４】
マルチタッチスクリーン付き携帯端末１は、マルチタッチスクリーン２を有する携帯端末である。マルチタッチスクリーン２には、例えば、マルチタッチスクリーン２に触れることを促す図柄２１（円形領域に手が触れている図柄）や操作指示の文字が表示される。
【００１５】
図２は、マルチタッチスクリーン２に支援者用情報を表示する処理のフローチャートであり、図３は、支援者用情報の表示例を示す図である。支援者情報とは、視覚障がい者であるマルチタッチスクリーン付き携帯端末１のユーザを支援する支援者に見せるための情報である。ここでは、ユーザの利き手を示す利き手情報が予めマルチタッチスクリーン付き携帯端末１に記憶されていることとする。
【００１６】
Ｓ１：まず、マルチタッチスクリーン付き携帯端末１は、利き手情報を読み込む。
【００１７】
マルチタッチスクリーン２においてジェスチャーを行おうとするユーザが視覚障がい者でない場合、ユーザは図柄２１に促され、マルチタッチスクリーン２に触れる。図柄２１が見えない視覚障がい者は、例えば、予めなされた操作指導に従い、マルチタッチスクリーン２に触れる。
【００１８】
Ｓ３：マルチタッチスクリーン付き携帯端末１は、ユーザがマルチタッチスクリーン２に触れたなら、マルチタッチスクリーン２に支援者情報の表示禁止領域を設定する。
【００１９】
図３に示すように、マルチタッチスクリーン付き携帯端末１は、予めユーザの手に隠れる領域として定められた手の形状を有する手形状領域３を、触れた点Ａが手形状領域３に含まれるように、マルチタッチスクリーン２に設定する。
【００２０】
例えば、マルチタッチスクリーン付き携帯端末１は、利き手情報に対応する利き手が右手なら、予め定められた右手の形状を有する手形状領域３を設定する。マルチタッチスクリーン付き携帯端末１は、例えば、点Ａの左側の指１本分離れた位置に線ＢＣを設定し、線ＢＣとマルチタッチスクリーン２の下端との交点を点Ｃとし、点Ａから左下４５°の線と線ＢＣとの交点を点Ｂとする。また、マルチタッチスクリーン付き携帯端末１は、例えば、点Ａの右側の指４本分離れた位置に線ＤＥを設定し、線ＤＥとマルチタッチスクリーン２の下端との交点を点Ｅとし、点Ａから右下４５°の線と線ＤＥとの交点を点Ｄとする。そして、マルチタッチスクリーン付き携帯端末１は、点Ａ…Ｅを頂点とする手形状領域３をマルチタッチスクリーン２に設定する。
【００２１】
なお、マルチタッチスクリーン付き携帯端末１は、利き手情報に対応する利き手が左手なら、予め定められた左手の形状を有する手形状領域を設定する。
【００２２】
また、ユーザの手がマルチタッチスクリーン２に触れた際にジェスチャーに使用されるジェスチャー領域４を、点Ａが含まれるように、マルチタッチスクリーン２に設定する。
【００２３】
手形状領域３とジェスチャー領域４は重複していてもよい。
【００２４】
次に、マルチタッチスクリーン付き携帯端末１は、手形状領域３とジェスチャー領域４を含む表示禁止領域をマルチタッチスクリーン２に設定する。
【００２５】
Ｓ５：次に、マルチタッチスクリーン付き携帯端末１は、マルチタッチスクリーン２における表示禁止領域を除く領域に支援者用情報５を表示する。支援者用情報５は、例えば、次に行うべき操作方法を示すものである。表示禁止領域のうちの手形状領域３はユーザの手に隠れて見えない可能性が高いが、支援者用情報は表示禁止領域を除く領域に表示されるので支援者は支援者用情報を見ることができる。よって、支援者は、支援者用情報に基づいてユーザに操作方法を教え、操作を支援することができる。
【００２６】
マルチタッチスクリーン付き携帯端末１は、例えば、点Ａの位置が変わったなら、ステップＳ３に戻る。これにより、場合によっては、支援者用情報は位置を変えるが、支援者用情報は表示禁止領域を除く領域に表示されるので、支援者は支援者用情報を見ることができ、操作を支援することができる。
【００２７】
例えば、図４に示すように、点Ａが右に移動したなら、マルチタッチスクリーン付き携帯端末１は、点Ａの移動に応じ、ジェスチャー領域４の位置ならびに例えば表示内容を変える。マルチタッチスクリーン付き携帯端末１は、ジェスチャー領域４の移動に応じ、支援者用情報５の位置ならびに例えば表示内容を変える。よって、支援者用情報は手に隠れず、支援者は支援者用情報を見ることができる。例えば、マルチタッチスクリーン付き携帯端末１は、ユーザが指を「さ」の位置に移動させたなら、文字「さ」を検索文字入力エリア２２に表示する。
【００２８】
したがって、本実施の形態のマルチタッチスクリーン付き携帯端末１によれば、マルチタッチスクリーン２においてジェスチャーを行おうとするユーザの手がマルチタッチスクリーン２に触れたに触れたことを契機に、ジェスチャーに使用されるジェスチャー領域４およびユーザの手に覆われる手形状領域３を含む表示禁止領域を除く領域に対しユーザの支援者に見せるための支援者用情報５を表示するので、ジェスチャー領域２以外の空き領域であり且つユーザの手に覆われない領域に支援者用情報を表示することができる。
【００２９】
また、予めユーザの利き手を示す利き手情報が記憶され、利き手情報を読み出し、利き手情報に対応する利き手が右手なら、予め定められた右手の形状を有する手形状領域を表示禁止領域に含める一方、利き手情報に対応する利き手が左手なら、予め定められた左手の形状を有する手形状領域を表示禁止領域に含めるので、ユーザの利き手によらず、支援者用情報をユーザの手に隠れないように表示することができる。
【００３０】
また、ユーザの手の移動に追従するように表示禁止領域を設定するので、ジェスチャーでユーザの手が動き、位置が変わっても、支援者用情報をユーザの手に隠れないように表示することができる。
【００３１】
なお、本実施の形態のマルチタッチスクリーン付き携帯端末１としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００３２】
１…マルチタッチスクリーン付き携帯端末
２…マルチタッチスクリーン
３…手形状領域
４…ジェスチャー領域
５…支援者用情報
２２…検索文字入力エリア
【図１】
0005969551.tif 000002
【図２】
0005969551.tif 000003
【図３】
0005969551.tif 000004
【図４】
0005969551.tif 000005